(57)【要約】      （修正有）【課題】陰イオン発散部を用いた計数器収納型紙幣消毒機の提供。【解決手段】消毒胴体２００の一方の側に紙幣の枚数を計数する計数器１００が収容される収納空間２１０が設けられ、消毒胴体２００の内部に収納空間２１０に陰イオンを発散して計数器１００に置かれた紙幣を殺菌消毒する陰イオン発散部が配設され、消毒胴体２００の下部に陰イオン発散部を介して発散される陰イオンを外部に吐き出してユーザの手のひらを殺菌するように手消毒噴射口が形成され、供給される陰イオンが収納空間２１０の内側、且つ、手消毒噴射口に向かって供給されるように案内するイオン案内部が配設され、消毒胴体２００の外部に陰イオン発散部から発散される陰イオンの発生量を調節するように調節部５００及び発生される陰イオン量を表示する表示部５１０が配設される。【効果】消毒効果が増加され、陰イオンを効率よく用いられる。【選択図】図１
2017023682.tif 000002
【特許請求の範囲】
【請求項１】
計数器収納型紙幣消毒機において、
消毒胴体（２００）の一方の側に紙幣の枚数を計数する計数器（１００）が収容されるように収納空間（２１０）が設けられ、
前記消毒胴体（２００）の内部に前記収納空間（２１０）に陰イオンを発散して前記計数器（１００）に置かれた紙幣を殺菌消毒するイオンクラスト（３００）が配設され、
前記消毒胴体（２００）の下部に前記イオンクラスト（３００）を介して発散される陰イオンを外部に吐き出してユーザの手のひらを殺菌するように手消毒噴射口（２４０）が形成され、
前記消毒胴体（２００）の内部に前記イオンクラスト（３００）から供給される陰イオンが前記収納空間（２１０）の内側、且つ、前記手消毒噴射口（２４０）に向かって供給されるように陰イオンを案内するイオン案内部（２６０）が配設され、
前記消毒胴体（２００）の外部に前記イオンクラスト（３００）から発散される陰イオンの発生量を調節するように調節部（５００）及び発生される陰イオン量を表示する表示部（５１０）が配設されることを特徴とする、
イオンクラストを用いた計数器収納型紙幣消毒機。
【請求項２】
前記手消毒噴射口（２４０）に、切り換え動作により回転され、前記手消毒噴射口（２４０）の通路を開閉する開閉部材（６００）が配設され、前記手消毒噴射口（２４０）の一方の側の消毒胴体（２００）にユーザの手の感知時に感知された信号値を制御部に出力し、前記制御部が入力された信号値により前記開閉部材（６００）が開放されるように感知するセンサー（５３０）が配設されることを特徴とする請求項１に記載のイオンクラストを用いた計数器収納型紙幣消毒機。
【請求項３】
前記イオン案内部（２６０）は、前記消毒胴体（２００）の前方面の下側に形成された複数の案内孔（２１１）と、前記収納空間（２１０）の底面及び両側の内壁に形成された複数の案内孔（２１２）と、前記イオンクラスト（３００）から発散された陰イオンを連通口（２６２）を介して前記収納空間（２１０）の内側方向に形成された前記案内孔（２１１）（２１２）にそれぞれ案内する分岐口と、前記連通口（２６２）と連通され、前記消毒胴体（２００）の前方案内孔（２４２）に陰イオンを案内する手消毒噴射口（２４０）と、を備えることを特徴とする請求項１に記載のイオンクラストを用いた計数器収納型紙幣消毒機。
【請求項４】
前記分岐口は、前記連通口（２６２）から上向きに噴射して前記収納空間（２１０）の案内孔（２１１）に陰イオンを案内する上向き分岐口（２６８）と、前記連通口（２６２）から両側に上向きに噴射して前記収納空間（２１０）の両側の壁面に形成された案内孔（２１２）を介して前記収納空間（２１０）に陰イオンを供給する左側及び右側の分岐口（２６４）（２６６）と、を備えることを特徴とする請求項３に記載のイオンクラストを用いた計数器収納型紙幣消毒機。
【請求項５】
前記上向き分岐口（２６８）に陰イオンを前記収納空間（２１０）に速やかに供給するように吸入ファン（７００）が配設され、前記吸入ファン（７００）が左右に回動され、前記左側及び右側の分岐口（２６４）（２６６）に陰イオンを前記収納空間（２１０）に速やかに供給するように吸入ファン（７１０）（７２０）が配設され、前記吸入ファン（７１０）（７２０）が向かい合う状態で上下に回動するように構成されて前記収納空間（２１０）の内部において陰イオンが前記計数器（１００）を中心として時計回り方向又は反時計回り方向に連続的に回転することを特徴とする請求項４に記載のイオンクラストを用いた計数器収納型紙幣消毒機。
【請求項６】
前記収納空間（２１０）が扉（９００）により開閉されることを特徴とする請求項５に記載のイオンクラストを用いた計数器収納型紙幣消毒機。
【発明の詳細な説明】
【技術分野】
【０００１】
本発明は、紙幣消毒機に係り、更に詳しくは、計数器を収納した状態で計数器により計数される紙幣を陰イオンの噴射によりきれいに且つ安定的に消毒し、且つ、ユーザの手を消毒するイオンクラストを用いた計数器収納型紙幣消毒機に関する。
【背景技術】
【０００２】
貨幣は、経済構造の根幹をなす最も基本的な価値手段であり、昔から紙幣および硬貨として広く流通されている。
【０００３】
紙幣は、数多くの流通経路を経るため、硬貨とは異なり、容易に各種の細菌および塵埃などの汚染物質によって汚染されて、紙幣を利用するユーザーに細菌を伝染させる原因となる。
【０００４】
また、紙幣は、ある一つの場所に長時間保管される場合はあまりなく、大勢の人々の手を経て流通され、その過程で各種の細菌や各種の病原性微生物に汚染されて各種の皮膚疾患および呼吸器疾患はもとより、アレルギー性疾患などを引き起こしたり伝染させたりする媒介体としての役割を果たす。これにより、免疫性の弱い老人や子供が疾病の被害を蒙り、且つ、銀行などで紙幣を取り扱う担当者が被害を蒙ってしまうという問題がある。
【０００５】
一方、銀行などの金融機関では、多量の紙幣の枚数を速やかに計数して処理することを余儀なくされるため紙幣計数器を使用しており、このような紙幣計数器は、紙幣の数を計数するため、上記のように、紙幣に付着している各種の細菌および塵埃などの汚染物質を殺菌することができないという問題がある。
【０００６】
前記紙幣計数器は、計数方法に応じて様々な種類があり、これは、収納台に載せられた紙幣をばらばらに移動させ、センサーを用いて移動中の紙幣の枚数を測定する。
【０００７】
このようにして測定された紙幣は再び市中に出回り、この過程で様々な環境、すなわち、大勢の人々の手を経ながら各種の汚染源に露出されて汚染されるため、紙幣の表面には常に各種の細菌が繁殖する。このようにして汚染された紙幣は他人の手に移る過程で大勢の人々に伝染させる要因となる。
【０００８】
これを解決するために、紙幣を消毒する技術が提案されている。
【０００９】
例えば、「紙幣消毒装置」が提案されている（例えば、下記の特許文献１参照）。
【００１０】
これは、紙幣を計数するとともに殺菌するように紙幣を載せる棚状の紙幣据置台と、前記紙幣据置台に載せられた紙幣を１枚ずつ搬送する枚葉供給装置と、前記枚葉供給装置から引き込まれる紙幣を搬送する多数のローラーおよび動力を発生するモーターを有する紙幣搬送装置と、前記紙幣搬送装置によって搬送される紙幣を消毒するために消毒薬貯蔵槽から消毒薬の供給を受けて紙幣に散布する噴霧装置を有する消毒装置と、前記消毒装置によって消毒された紙幣を乾燥するための乾燥装置と、前記乾燥装置を通過した紙幣に香水を散布する香水供給装置と、香水供給装置を通過した紙幣を収納する収納箱と、前記搬送装置によって搬送される過程で紙幣を感知して通過する紙幣の枚数を計数する紙幣計数装置と、前記装置を制御する制御回路と計数された数字を表示するディスプレイ部を有する制御装置と、を備える。
【００１１】
また、「計数紙幣の消毒装置」が提案されている（例えば、下記の特許文献２参照）。
【００１２】
これは、計数される紙幣を計数と同時に殺菌、消毒処理するための計数紙幣の消毒装置に関するものである。
【００１３】
すなわち、紙幣計数器と、この紙幣計数器を搭載するための外箱と、この外箱内に消毒液および芳香剤が充填された薬剤容器と、この薬剤の流出を制御する電磁弁と、流出薬剤を噴霧するノズルと、前記薬剤容器からノズルに至る連結管と、を備え、前記ノズルは連結管の端部に配設され、計数された紙幣が積層される前に消毒されるようにその位置が調節可能な可撓性連結管に結合されてなる。
【００１４】
さらに、「殺菌紙幣計数器」が提案されている（例えば、下記の特許文献３参照）。
【００１５】
これは、紙幣計数器に投入される紙幣を搬送する搬送台を有する紙幣計数器において、紙幣を殺菌するために紫外線殺菌ランプが設けられた殺菌紙幣計数器において、前記搬送台の上部および下部から１〜２ｍｍ離れた個所に紫外線ランプを設け、前記紫外線ランプはその外周に弧状の反射鏡を設けて、紙幣に対して収集的な紫外線照射が行われるように構成するが、前記紫外線ランプは、１１ワットの２つが搬送台の上部および下部にそれぞれ設け、前記紫外線ランプの反射鏡は紙幣が流入する側に、上部に撓んだ弧状の弧部を形成して、紙幣が流入するときに反射鏡に係止されて流入されないことを防ぐ。
【先行技術文献】
【特許文献】
【００１６】
【特許文献１】大韓民国特許登録第１０−０４２３０２５号（公告日：２００４年０３月１８日）
【特許文献２】大韓民国実用新案登録第２０−０３３０８７８号（公告日：２００４年０２月１４日）
【特許文献３】大韓民国実用新案登録第２０−０４６４７４１号（公告日：２０１３年０１月２１日）
【発明の概要】
【発明が解決しようとする課題】
【００１７】
本発明は、上記の問題を解消するために案出されたものであり、第一に、計数器が陰イオンにより満たされた空間において紙幣を計数して紙幣の計数と同時に殺菌消毒が行えるイオンクラストを用いた計数器収納型紙幣消毒機を提供するところにある。
【００１８】
換言すると、紙幣の枚数を測定する計数器の全体を紙幣を消毒する胴体の内部に固定した後に、胴体内にクラスト陰イオンを供給してクラスト陰イオンが紙幣の表面に均一に伝わって紙幣に発生する汚染源が除去される計数器収納型紙幣消毒機を提供するところにある。
【００１９】
第二に、紙幣の消毒及びユーザの手の消毒を同時に行う計数器収納型紙幣消毒機を提供するところにある。
【課題を解決するための手段】
【００２０】
前記目的を達成するためになされた本発明によるイオンクラストを用いた計数器収納型紙幣消毒機は、消毒胴体の一方の側に紙幣の枚数を計数する計数器が収容されるように収納空間が設けられ、前記消毒胴体の内部に前記収納空間に陰イオンを発散して前記計数器に置かれた紙幣を殺菌消毒するイオンクラストが配設され、前記消毒胴体の下部に前記イオンクラストを介して発散される陰イオンを外部に吐き出してユーザの手のひらを殺菌するように手消毒噴射口が形成され、前記消毒胴体の内部に前記イオンクラストから供給される陰イオンが前記収納空間の内側、且つ、前記手消毒噴射口に向かって供給されるように陰イオンを案内するイオン案内部が配設され、前記消毒胴体の外部に前記イオンクラストから発散される陰イオンの発生量を調節するように調節部及び発生される陰イオン量を表示する表示部が配設されることを特徴とする。
【００２１】
本発明によるイオンクラストを用いた計数器収納型紙幣消毒機において、前記手消毒噴射口に切り換え動作により回転され、前記手消毒噴射口の通路を開閉する開閉部材が配設され、前記手消毒噴射口の一方の側の消毒胴体にユーザの手の感知時に感知された信号値を制御部に出力し、前記制御部が入力された信号値により前記開閉部材が開放されるように感知するセンサーが配設されることが好ましい。
【００２２】
本発明によるイオンクラストを用いた計数器収納型紙幣消毒機において、前記イオン案内部は、前記消毒胴体の前方面の下側に形成された複数の案内孔と、前記収納空間の底面及び両側の内壁に形成された複数の案内孔と、前記イオンクラストから発散された陰イオンを連通口を介して前記収納空間の内側方向に形成された前記案内孔にそれぞれ案内する分岐口と、前記連通口と連通され、前記消毒胴体の前方案内孔に陰イオンを案内する手消毒噴射口と、を備えることが好ましい。
【００２３】
本発明によるイオンクラストを用いた計数器収納型紙幣消毒機において、前記分岐口は、前記連通口から上向きに噴射して前記収納空間の案内孔に陰イオンを案内する上向き分岐口と、前記連通口から両側に上向きに噴射して前記収納空間の両側の壁面に形成された案内孔を介して前記収納空間に陰イオンを供給する左側及び右側の分岐口と、を備えることが好ましい。
【００２４】
本発明によるイオンクラストを用いた計数器収納型紙幣消毒機において、前記上向き分岐口に陰イオンを前記収納空間に速やかに供給するように吸入ファンが配設されるが、前記吸入ファンが左右に回動され、前記左側及び右側の分岐口に陰イオンを前記収納空間に速やかに供給するように吸入ファンが配設されるが、前記吸入ファンが向かい合う状態で上下に回動するように構成されて前記収納空間の内部において陰イオンが前記計数器を中心として時計回り方向又は反時計回り方向に連続的に回転することが好ましい。
【００２５】
本発明によるイオンクラストを用いた計数器収納型紙幣消毒機において、前記収納空間が扉により開閉されることが好ましい。
【発明の効果】
【００２６】
本発明によれば、紙幣の枚数を測定する計数器の全体を紙幣を消毒する消毒胴体の収納空間の内部に固定した後に、胴体内にクラスト陰イオンを供給して陰イオンが紙幣の表面に均一に伝わって紙幣に発生する汚染源が除去されるという効果がある。
【００２７】
また、消毒胴体の収納空間に供給される陰イオンが３方向から内部に吐き出され、且つ、角度が調節されて陰イオンを時計回り方向又は反時計回り方向に循環させながら紙幣を消毒し、且つ、陰イオンの外部への排出が徐々に行われることから、消毒効果が増加されることはもとより、陰イオンが効率よく用いられるというメリットがある。
【００２８】
更に、紙幣の消毒及び手の消毒が同時に行われて紙幣の再汚染が防がれるという効果がある。
【図面の簡単な説明】
【００２９】
【図１】本発明による紙幣消毒機に計数器が収納される過程を示す斜視図である。
【図２】図１の正面に陰イオンが循環される経路を示す構成図である。
【図３】図２においてイオンクラストから発散された陰イオンを案内する分岐口を示す斜視図である。
【図４】図３の側断面使用状態図である。
【図５】図３の平断面使用状態図である。
【図６】図３において手消毒噴射口に配設された開閉部材を示す使用状態断面図である。
【図７】図１の紙幣消毒機に扉が設けられた状態の使用状態斜視図である。
【発明を実施するための形態】
【００３０】
以下、本発明を添付の例示図面を参照してより詳細に説明する。本発明を説明するに当たって、既に公知の機能若しくは構成についての説明は、本発明の要旨を明瞭にするために省略する。
【００３１】
本発明は、図１に示すように、紙幣を消毒するに当たって、紙幣の枚数を計数する計数器１００を紙幣消毒機を構成する消毒胴体２００内に収納した状態で内部に循環される陰イオンを用いて紙幣を消毒する。
【００３２】
本発明は、図１〜図３に示すように、計数器１００と、前記計数器１００を収容する消毒胴体２００と、前記消毒胴体２００の内部において陰イオンを発散するイオンクラスト３００と、を備え、前記イオンクラスト３００から発散された陰イオンを用いて消毒胴体２００の内部において計数器１００にある紙幣を殺菌消毒する。
【００３３】
前記計数器１００は、公知の技術により構成されたものであり、紙幣を載せると、前記計数器１００が紙幣の枚数を計数して紙幣の枚数を表示する。前記計数器１００は、外側の上部に紙幣投入口１１０が配設され、且つ、正面の下側に紙幣吐出口１２０が配設される。
【００３４】
これにより、前記紙幣投入口１１０に投入された紙幣を内部計数システムを用いて計数した後、前記紙幣吐出口１２０に吐き出すと同時に、計数された数字を外部に表示する。
【００３５】
前記消毒胴体２００は、一方の側に紙幣の枚数を計数する前記計数器１００が収容されるように片側方向に開放された収納空間２１０が形成される。また、前記収納空間２１０の内壁のうち底面及び左右の両側の壁面には、陰イオンが通過するように複数の案内孔２１１、２１２が形成される。また、天井面には、電源を印加するときに前記計数器１００の紙幣投入口１１０に向かって赤外線を照射して紙幣の表面を殺菌する殺菌ランプ２２０が配設される。
【００３６】
前記イオンクラスト３００は、陰イオンクラスト、プラズマ陰イオンクラスト、陰イオンプラズマクラストなどに適用された公知の技術を用いて、前記消毒胴体２００の内部の下側から電源を印加するときに前記収納空間２１０の内部に陰イオンを発散して前記計数器１００に置かれた紙幣を殺菌消毒する。
その構造について説明すると、電源印加部と、電源の印加による動作により陰イオンを発生する陰イオン生成部及び発生された陰イオンを前記収納空間の内部に発散する陰イオン吐出部と、を備える。
【００３７】
前記陰イオン生成部及び前記陰イオン吐出部は一つの胴体に配設され、電源印加部に電源を印加するときに陰イオンを発生し、発生された陰イオンは陰イオン吐出部を介して移動する。
【００３８】
また、前記消毒胴体２００の下部の前方側には、前記イオンクラスト３００から発散された陰イオンが案内孔２４２を介して外部に吐き出されるように手消毒噴射口２４０が配設され、前記手消毒噴射口２４０と連通された案内孔２４２を介して陰イオンが吐き出されると、外部において人間の手を殺菌することができる。
【００３９】
また、前記消毒胴体２００の内部には、前記イオンクラスト３００から発散された陰イオンを収納空間２１０の内部又は手消毒噴射口２４０に案内するようにイオン案内部２６０が配設される。
【００４０】
前記イオン案内部２６０は、前記消毒胴体２００に一体形に又は取り外し自在に配設され、前記イオンクラスト３００の陰イオン吐出部と連通される連通口２６２と、前記連通口２６２と連通され、前記収納空間２１０の底面はもとより、両側の内壁に供給するように案内する複数の分岐口２６４、２６６、２６８と、を備える。
【００４１】
すなわち、前記連通口２６２から上向きに突設されて前記収納空間２１０の底面に形成された案内孔２１１を介して陰イオンを供給する上向き分岐口２６８と、前記収納空間２１０の両側の壁面から前記計数器１００に向かって形成された案内孔２１２を介して陰イオンを供給する左側及び右側の分岐口２６４、２６６と、を備える。
【００４２】
これにより、前記イオンクラスト３００から発散される陰イオンが前記イオン案内部２６０の連通口２６２と、上向き及び左右側の分岐口２６４、２６６、２６８を介して前記収納空間２１０の内側の３方向に形成された案内孔２１１、２１２、且つ、前記手消毒噴射口２４０と連通された案内孔２４２に向かって供給される。
【００４３】
前記手消毒噴射口２４０に供給される陰イオンは、前記消毒胴体２００の前方の下側に形成された複数の案内孔２４２を介して外部に吐き出されてユーザの手を殺菌する。
【００４４】
一方、本発明は、前記消毒胴体２００の前方の上面に調節部５００が配設され、前記調節部５００は、調節値を用いて前記イオンクラスト３００から発散される陰イオンの発生量を調節する。なお、前記調節部５００の一方の側には、発生される陰イオン量を文字又はグラフで表示する表示部５２０が配設される。
【００４５】
図６は、本発明の他の例を示すものであり、前記イオン案内部２６０の連通口２６２と連通された前記手消毒噴射口２４０に切り換え動作により開閉される開閉部材６００が配設されることを示すものである。
【００４６】
ユーザは、前記開閉部材６００を用いて前記手消毒噴射口２４０を開閉して自ら自分の手を殺菌する。
【００４７】
また、前記手消毒噴射口２４０の一方の側の消毒胴体２００にセンサー５３０が配設され、前記センサー５３０は、ユーザの手の感知時に感知された信号値を制御部に出力し、前記制御部は、入力された信号値を用いて前記開閉部材６００を動作させる。
【００４８】
前記開閉部材６００は、前記手消毒噴射口２４０の内壁に両端が回転可能に結合される回転軸６１０と、前記回転軸６１０に結合されて回転され、前記手消毒噴射口２４０を開閉する開閉板６２０と、前記消毒胴体２００に結合されて前記回転軸６１０を正逆転させるモータ６３０と、を備える。
【００４９】
更に他の例として、図２〜図４を参照する。前記上向き分岐口２６８と、左側の分岐口２６４及び右側の分岐口２６６にはそれぞれ吸入ファン７００、７１０、７２０が配設されることが好ましく、前記吸入ファン７００、７１０、７２０は、回転時に前記イオンクラスト３００から発散された陰イオンを速やかに前記収納空間２１０内に供給する。
【００５０】
また、前記吸入ファンのうち上向き分岐口２６８に配設された吸入ファン７００は左右方向に回転角度を調節し、左側及び右側の分岐口２６４、２６６の吸入ファン７１０、７２０は上下に回転角度が自動的に調節されるようにして、前記吸入ファン７００、７１０、７２０の回転角度により陰イオンが前記収納空間２１０の内部において回転方向に循環される。
【００５１】
この場合、陰イオンが前記計数器１００の紙幣投入口１１０及び紙幣吐出口１２０に向かって循環するように前記吸入ファン７００、７１０、７２０の角度を調節する。
【００５２】
前記吸入ファン７００、７１０、７２０の回転角度は、リモコン又はモード切り換えスイッチの動作により調節され、前記モード切り換えスイッチは、図示はしないが、前記消毒胴体２００の外側に配設される調節部５００の一方の側に配設される。
【００５３】
以上の説明は一つの実施形態を説明したものに過ぎず、本発明は上述した実施形態に何ら限定されるものではなく、添付の特許請求の範囲内において種々に変形可能に実施することができる。
例えば、本発明の実施形態に具体的に開示されている各構成要素の形状および構造は変形して実施することができる。
【符号の説明】
【００５４】
１００  計数器
２００  消毒胴体
３００  イオンクラスト
５００  調節部
６００  開閉部材
６１０  回転軸
６２０  開閉板
６３０  モータ
７００、７１０、７２０  吸入ファン
【図１】
2017023682.tif 000003
【図２】
2017023682.tif 000004
【図３】
2017023682.tif 000005
【図４】
2017023682.tif 000006
【図５】
2017023682.tif 000007
【図６】
2017023682.tif 000008
【図７】
2017023682.tif 000009
【手続補正書】
【提出日】平成28年11月16日(2016.11.16)
【手続補正１】
【補正対象書類名】特許請求の範囲
【補正対象項目名】全文
【補正方法】変更
【補正の内容】
【特許請求の範囲】
【請求項１】
計数器収納型紙幣消毒機において、
消毒胴体（２００）の一方の側に紙幣の枚数を計数する計数器（１００）が収容されるように収納空間（２１０）が設けられ、
前記消毒胴体（２００）の内部に前記収納空間（２１０）に陰イオンを発散して前記計数器（１００）に置かれた紙幣を殺菌消毒する陰イオン発散部（３００）が配設され、
前記消毒胴体（２００）の下部に前記陰イオン発散部（３００）を介して発散される陰イオンを外部に吐き出してユーザの手のひらを殺菌するように手消毒噴射口（２４０）が形成され、
前記消毒胴体（２００）の内部に前記陰イオン発散部（３００）から供給される陰イオンが前記収納空間（２１０）の内側、且つ、前記手消毒噴射口（２４０）に向かって供給されるように陰イオンを案内するイオン案内部（２６０）が配設され、
前記消毒胴体（２００）の外部に前記陰イオン発散部（３００）から発散される陰イオンの発生量を調節するように調節部（５００）及び発生される陰イオン量を表示する表示部（５１０）が配設されることを特徴とする、
陰イオン発散部を用いた計数器収納型紙幣消毒機。
【請求項２】
前記手消毒噴射口（２４０）に、切り換え動作により回転され、前記手消毒噴射口（２４０）の通路を開閉する開閉部材（６００）が配設され、前記手消毒噴射口（２４０）の一方の側の消毒胴体（２００）にユーザの手の感知時に感知された信号値を制御部に出力し、前記制御部が入力された信号値により前記開閉部材（６００）が開放されるように感知するセンサー（５３０）が配設されることを特徴とする請求項１に記載の陰イオン発散部を用いた計数器収納型紙幣消毒機。
【請求項３】
前記イオン案内部（２６０）は、前記消毒胴体（２００）の前方面の下側に形成された複数の案内孔（２１１）と、前記収納空間（２１０）の底面及び両側の内壁に形成された複数の案内孔（２１２）と、前記陰イオン発散部（３００）から発散された陰イオンを連通口（２６２）を介して前記収納空間（２１０）の内側方向に形成された前記案内孔（２１１）（２１２）にそれぞれ案内する分岐口と、前記連通口（２６２）と連通され、前記消毒胴体（２００）の前方案内孔（２４２）に陰イオンを案内する手消毒噴射口（２４０）と、を備えることを特徴とする請求項１に記載の陰イオン発散部を用いた計数器収納型紙幣消毒機。
【請求項４】
前記分岐口は、前記連通口（２６２）から上向きに噴射して前記収納空間（２１０）の案内孔（２１１）に陰イオンを案内する上向き分岐口（２６８）と、前記連通口（２６２）から両側に上向きに噴射して前記収納空間（２１０）の両側の壁面に形成された案内孔（２１２）を介して前記収納空間（２１０）に陰イオンを供給する左側及び右側の分岐口（２６４）（２６６）と、を備えることを特徴とする請求項３に記載の陰イオン発散部を用いた計数器収納型紙幣消毒機。
【請求項５】
前記上向き分岐口（２６８）に陰イオンを前記収納空間（２１０）に速やかに供給するように吸入ファン（７００）が配設され、前記吸入ファン（７００）が左右に回動され、前記左側及び右側の分岐口（２６４）（２６６）に陰イオンを前記収納空間（２１０）に速やかに供給するように吸入ファン（７１０）（７２０）が配設され、前記吸入ファン（７１０）（７２０）が向かい合う状態で上下に回動するように構成されて前記収納空間（２１０）の内部において陰イオンが前記計数器（１００）を中心として時計回り方向又は反時計回り方向に連続的に回転することを特徴とする請求項４に記載の陰イオン発散部を用いた計数器収納型紙幣消毒機。
【請求項６】
前記収納空間（２１０）が扉（９００）により開閉されることを特徴とする請求項５に記載の陰イオン発散部を用いた計数器収納型紙幣消毒機。
【手続補正２】
【補正対象書類名】明細書
【補正対象項目名】全文
【補正方法】変更
【補正の内容】
【発明の詳細な説明】
【技術分野】
【０００１】
本発明は、紙幣消毒機に係り、更に詳しくは、計数器を収納した状態で計数器により計数される紙幣を陰イオンの噴射によりきれいに且つ安定的に消毒し、且つ、ユーザの手を消毒する陰イオン発散部を用いた計数器収納型紙幣消毒機に関する。
【背景技術】
【０００２】
貨幣は、経済構造の根幹をなす最も基本的な価値手段であり、昔から紙幣および硬貨として広く流通されている。
【０００３】
紙幣は、数多くの流通経路を経るため、硬貨とは異なり、容易に各種の細菌および塵埃などの汚染物質によって汚染されて、紙幣を利用するユーザーに細菌を伝染させる原因となる。
【０００４】
また、紙幣は、ある一つの場所に長時間保管される場合はあまりなく、大勢の人々の手を経て流通され、その過程で各種の細菌や各種の病原性微生物に汚染されて各種の皮膚疾患および呼吸器疾患はもとより、アレルギー性疾患などを引き起こしたり伝染させたりする媒介体としての役割を果たす。これにより、免疫性の弱い老人や子供が疾病の被害を蒙り、且つ、銀行などで紙幣を取り扱う担当者が被害を蒙ってしまうという問題がある。
【０００５】
一方、銀行などの金融機関では、多量の紙幣の枚数を速やかに計数して処理することを余儀なくされるため紙幣計数器を使用しており、このような紙幣計数器は、紙幣の数を計数するため、上記のように、紙幣に付着している各種の細菌および塵埃などの汚染物質を殺菌することができないという問題がある。
【０００６】
前記紙幣計数器は、計数方法に応じて様々な種類があり、これは、収納台に載せられた紙幣をばらばらに移動させ、センサーを用いて移動中の紙幣の枚数を測定する。
【０００７】
このようにして測定された紙幣は再び市中に出回り、この過程で様々な環境、すなわち、大勢の人々の手を経ながら各種の汚染源に露出されて汚染されるため、紙幣の表面には常に各種の細菌が繁殖する。このようにして汚染された紙幣は他人の手に移る過程で大勢の人々に伝染させる要因となる。
【０００８】
これを解決するために、紙幣を消毒する技術が提案されている。
【０００９】
例えば、「紙幣消毒装置」が提案されている（例えば、下記の特許文献１参照）。
【００１０】
これは、紙幣を計数するとともに殺菌するように紙幣を載せる棚状の紙幣据置台と、前記紙幣据置台に載せられた紙幣を１枚ずつ搬送する枚葉供給装置と、前記枚葉供給装置から引き込まれる紙幣を搬送する多数のローラーおよび動力を発生するモーターを有する紙幣搬送装置と、前記紙幣搬送装置によって搬送される紙幣を消毒するために消毒薬貯蔵槽から消毒薬の供給を受けて紙幣に散布する噴霧装置を有する消毒装置と、前記消毒装置によって消毒された紙幣を乾燥するための乾燥装置と、前記乾燥装置を通過した紙幣に香水を散布する香水供給装置と、香水供給装置を通過した紙幣を収納する収納箱と、前記搬送装置によって搬送される過程で紙幣を感知して通過する紙幣の枚数を計数する紙幣計数装置と、前記装置を制御する制御回路と計数された数字を表示するディスプレイ部を有する制御装置と、を備える。
【００１１】
また、「計数紙幣の消毒装置」が提案されている（例えば、下記の特許文献２参照）。
【００１２】
これは、計数される紙幣を計数と同時に殺菌、消毒処理するための計数紙幣の消毒装置に関するものである。
【００１３】
すなわち、紙幣計数器と、この紙幣計数器を搭載するための外箱と、この外箱内に消毒液および芳香剤が充填された薬剤容器と、この薬剤の流出を制御する電磁弁と、流出薬剤を噴霧するノズルと、前記薬剤容器からノズルに至る連結管と、を備え、前記ノズルは連結管の端部に配設され、計数された紙幣が積層される前に消毒されるようにその位置が調節可能な可撓性連結管に結合されてなる。
【００１４】
さらに、「殺菌紙幣計数器」が提案されている（例えば、下記の特許文献３参照）。
【００１５】
これは、紙幣計数器に投入される紙幣を搬送する搬送台を有する紙幣計数器において、紙幣を殺菌するために紫外線殺菌ランプが設けられた殺菌紙幣計数器において、前記搬送台の上部および下部から１〜２ｍｍ離れた個所に紫外線ランプを設け、前記紫外線ランプはその外周に弧状の反射鏡を設けて、紙幣に対して収集的な紫外線照射が行われるように構成するが、前記紫外線ランプは、１１ワットの２つが搬送台の上部および下部にそれぞれ設け、前記紫外線ランプの反射鏡は紙幣が流入する側に、上部に撓んだ弧状の弧部を形成して、紙幣が流入するときに反射鏡に係止されて流入されないことを防ぐ。
【先行技術文献】
【特許文献】
【００１６】
【特許文献１】大韓民国特許登録第１０−０４２３０２５号（公告日：２００４年０３月１８日）
【特許文献２】大韓民国実用新案登録第２０−０３３０８７８号（公告日：２００４年０２月１４日）
【特許文献３】大韓民国実用新案登録第２０−０４６４７４１号（公告日：２０１３年０１月２１日）
【発明の概要】
【発明が解決しようとする課題】
【００１７】
本発明は、上記の問題を解消するために案出されたものであり、第一に、計数器が陰イオンにより満たされた空間において紙幣を計数して紙幣の計数と同時に殺菌消毒が行える陰イオン発散部を用いた計数器収納型紙幣消毒機を提供するところにある。
【００１８】
換言すると、紙幣の枚数を測定する計数器の全体を紙幣を消毒する胴体の内部に固定した後に、胴体内にクラスト陰イオンを供給してクラスト陰イオンが紙幣の表面に均一に伝わって紙幣に発生する汚染源が除去される計数器収納型紙幣消毒機を提供するところにある。
【００１９】
第二に、紙幣の消毒及びユーザの手の消毒を同時に行う計数器収納型紙幣消毒機を提供するところにある。
【課題を解決するための手段】
【００２０】
前記目的を達成するためになされた本発明による陰イオン発散部を用いた計数器収納型紙幣消毒機は、消毒胴体の一方の側に紙幣の枚数を計数する計数器が収容されるように収納空間が設けられ、前記消毒胴体の内部に前記収納空間に陰イオンを発散して前記計数器に置かれた紙幣を殺菌消毒する陰イオン発散部が配設され、前記消毒胴体の下部に前記陰イオン発散部を介して発散される陰イオンを外部に吐き出してユーザの手のひらを殺菌するように手消毒噴射口が形成され、前記消毒胴体の内部に前記陰イオン発散部から供給される陰イオンが前記収納空間の内側、且つ、前記手消毒噴射口に向かって供給されるように陰イオンを案内するイオン案内部が配設され、前記消毒胴体の外部に前記陰イオン発散部から発散される陰イオンの発生量を調節するように調節部及び発生される陰イオン量を表示する表示部が配設されることを特徴とする。
【００２１】
本発明による陰イオン発散部を用いた計数器収納型紙幣消毒機において、前記手消毒噴射口に切り換え動作により回転され、前記手消毒噴射口の通路を開閉する開閉部材が配設され、前記手消毒噴射口の一方の側の消毒胴体にユーザの手の感知時に感知された信号値を制御部に出力し、前記制御部が入力された信号値により前記開閉部材が開放されるように感知するセンサーが配設されることが好ましい。
【００２２】
本発明による陰イオン発散部を用いた計数器収納型紙幣消毒機において、前記イオン案内部は、前記消毒胴体の前方面の下側に形成された複数の案内孔と、前記収納空間の底面及び両側の内壁に形成された複数の案内孔と、前記陰イオン発散部から発散された陰イオンを連通口を介して前記収納空間の内側方向に形成された前記案内孔にそれぞれ案内する分岐口と、前記連通口と連通され、前記消毒胴体の前方案内孔に陰イオンを案内する手消毒噴射口と、を備えることが好ましい。
【００２３】
本発明による陰イオン発散部を用いた計数器収納型紙幣消毒機において、前記分岐口は、前記連通口から上向きに噴射して前記収納空間の案内孔に陰イオンを案内する上向き分岐口と、前記連通口から両側に上向きに噴射して前記収納空間の両側の壁面に形成された案内孔を介して前記収納空間に陰イオンを供給する左側及び右側の分岐口と、を備えることが好ましい。
【００２４】
本発明による陰イオン発散部を用いた計数器収納型紙幣消毒機において、前記上向き分岐口に陰イオンを前記収納空間に速やかに供給するように吸入ファンが配設されるが、前記吸入ファンが左右に回動され、前記左側及び右側の分岐口に陰イオンを前記収納空間に速やかに供給するように吸入ファンが配設されるが、前記吸入ファンが向かい合う状態で上下に回動するように構成されて前記収納空間の内部において陰イオンが前記計数器を中心として時計回り方向又は反時計回り方向に連続的に回転することが好ましい。
【００２５】
本発明による陰イオン発散部を用いた計数器収納型紙幣消毒機において、前記収納空間が扉により開閉されることが好ましい。
【発明の効果】
【００２６】
本発明によれば、紙幣の枚数を測定する計数器の全体を紙幣を消毒する消毒胴体の収納空間の内部に固定した後に、胴体内にクラスト陰イオンを供給して陰イオンが紙幣の表面に均一に伝わって紙幣に発生する汚染源が除去されるという効果がある。
【００２７】
また、消毒胴体の収納空間に供給される陰イオンが３方向から内部に吐き出され、且つ、角度が調節されて陰イオンを時計回り方向又は反時計回り方向に循環させながら紙幣を消毒し、且つ、陰イオンの外部への排出が徐々に行われることから、消毒効果が増加されることはもとより、陰イオンが効率よく用いられるというメリットがある。
【００２８】
更に、紙幣の消毒及び手の消毒が同時に行われて紙幣の再汚染が防がれるという効果がある。
【図面の簡単な説明】
【００２９】
【図１】本発明による紙幣消毒機に計数器が収納される過程を示す斜視図である。
【図２】図１の正面に陰イオンが循環される経路を示す構成図である。
【図３】図２において陰イオン発散部から発散された陰イオンを案内する分岐口を示す斜視図である。
【図４】図３の側断面使用状態図である。
【図５】図３の平断面使用状態図である。
【図６】図３において手消毒噴射口に配設された開閉部材を示す使用状態断面図である。
【図７】図１の紙幣消毒機に扉が設けられた状態の使用状態斜視図である。
【発明を実施するための形態】
【００３０】
以下、本発明を添付の例示図面を参照してより詳細に説明する。本発明を説明するに当たって、既に公知の機能若しくは構成についての説明は、本発明の要旨を明瞭にするために省略する。
【００３１】
本発明は、図１に示すように、紙幣を消毒するに当たって、紙幣の枚数を計数する計数器１００を紙幣消毒機を構成する消毒胴体２００内に収納した状態で内部に循環される陰イオンを用いて紙幣を消毒する。
【００３２】
本発明は、図１〜図３に示すように、計数器１００と、前記計数器１００を収容する消毒胴体２００と、前記消毒胴体２００の内部において陰イオンを発散する陰イオン発散部３００と、を備え、前記陰イオン発散部３００から発散された陰イオンを用いて消毒胴体２００の内部において計数器１００にある紙幣を殺菌消毒する。
【００３３】
前記計数器１００は、公知の技術により構成されたものであり、紙幣を載せると、前記計数器１００が紙幣の枚数を計数して紙幣の枚数を表示する。前記計数器１００は、外側の上部に紙幣投入口１１０が配設され、且つ、正面の下側に紙幣吐出口１２０が配設される。
【００３４】
これにより、前記紙幣投入口１１０に投入された紙幣を内部計数システムを用いて計数した後、前記紙幣吐出口１２０に吐き出すと同時に、計数された数字を外部に表示する。
【００３５】
前記消毒胴体２００は、一方の側に紙幣の枚数を計数する前記計数器１００が収容されるように片側方向に開放された収納空間２１０が形成される。また、前記収納空間２１０の内壁のうち底面及び左右の両側の壁面には、陰イオンが通過するように複数の案内孔２１１、２１２が形成される。また、天井面には、電源を印加するときに前記計数器１００の紙幣投入口１１０に向かって赤外線を照射して紙幣の表面を殺菌する殺菌ランプ２２０が配設される。
【００３６】
前記陰イオン発散部３００は、陰陰イオン発散部、プラズマ陰陰イオン発散部、陰イオンプラズマクラストなどに適用された公知の技術を用いて、前記消毒胴体２００の内部の下側から電源を印加するときに前記収納空間２１０の内部に陰イオンを発散して前記計数器１００に置かれた紙幣を殺菌消毒する。
その構造について説明すると、電源印加部と、電源の印加による動作により陰イオンを発生する陰イオン生成部及び発生された陰イオンを前記収納空間の内部に発散する陰イオン吐出部と、を備える。
【００３７】
前記陰イオン生成部及び前記陰イオン吐出部は一つの胴体に配設され、電源印加部に電源を印加するときに陰イオンを発生し、発生された陰イオンは陰イオン吐出部を介して移動する。
【００３８】
また、前記消毒胴体２００の下部の前方側には、前記陰イオン発散部３００から発散された陰イオンが案内孔２４２を介して外部に吐き出されるように手消毒噴射口２４０が配設され、前記手消毒噴射口２４０と連通された案内孔２４２を介して陰イオンが吐き出されると、外部において人間の手を殺菌することができる。
【００３９】
また、前記消毒胴体２００の内部には、前記陰イオン発散部３００から発散された陰イオンを収納空間２１０の内部又は手消毒噴射口２４０に案内するようにイオン案内部２６０が配設される。
【００４０】
前記イオン案内部２６０は、前記消毒胴体２００に一体形に又は取り外し自在に配設され、前記陰イオン発散部３００の陰イオン吐出部と連通される連通口２６２と、前記連通口２６２と連通され、前記収納空間２１０の底面はもとより、両側の内壁に供給するように案内する複数の分岐口２６４、２６６、２６８と、を備える。
【００４１】
すなわち、前記連通口２６２から上向きに突設されて前記収納空間２１０の底面に形成された案内孔２１１を介して陰イオンを供給する上向き分岐口２６８と、前記収納空間２１０の両側の壁面から前記計数器１００に向かって形成された案内孔２１２を介して陰イオンを供給する左側及び右側の分岐口２６４、２６６と、を備える。
【００４２】
これにより、前記陰イオン発散部３００から発散される陰イオンが前記イオン案内部２６０の連通口２６２と、上向き及び左右側の分岐口２６４、２６６、２６８を介して前記収納空間２１０の内側の３方向に形成された案内孔２１１、２１２、且つ、前記手消毒噴射口２４０と連通された案内孔２４２に向かって供給される。
【００４３】
前記手消毒噴射口２４０に供給される陰イオンは、前記消毒胴体２００の前方の下側に形成された複数の案内孔２４２を介して外部に吐き出されてユーザの手を殺菌する。
【００４４】
一方、本発明は、前記消毒胴体２００の前方の上面に調節部５００が配設され、前記調節部５００は、調節値を用いて前記陰イオン発散部３００から発散される陰イオンの発生量を調節する。なお、前記調節部５００の一方の側には、発生される陰イオン量を文字又はグラフで表示する表示部５２０が配設される。
【００４５】
図６は、本発明の他の例を示すものであり、前記イオン案内部２６０の連通口２６２と連通された前記手消毒噴射口２４０に切り換え動作により開閉される開閉部材６００が配設されることを示すものである。
【００４６】
ユーザは、前記開閉部材６００を用いて前記手消毒噴射口２４０を開閉して自ら自分の手を殺菌する。
【００４７】
また、前記手消毒噴射口２４０の一方の側の消毒胴体２００にセンサー５３０が配設され、前記センサー５３０は、ユーザの手の感知時に感知された信号値を制御部に出力し、前記制御部は、入力された信号値を用いて前記開閉部材６００を動作させる。
【００４８】
前記開閉部材６００は、前記手消毒噴射口２４０の内壁に両端が回転可能に結合される回転軸６１０と、前記回転軸６１０に結合されて回転され、前記手消毒噴射口２４０を開閉する開閉板６２０と、前記消毒胴体２００に結合されて前記回転軸６１０を正逆転させるモータ６３０と、を備える。
【００４９】
更に他の例として、図２〜図４を参照する。前記上向き分岐口２６８と、左側の分岐口２６４及び右側の分岐口２６６にはそれぞれ吸入ファン７００、７１０、７２０が配設されることが好ましく、前記吸入ファン７００、７１０、７２０は、回転時に前記陰イオン発散部３００から発散された陰イオンを速やかに前記収納空間２１０内に供給する。
【００５０】
また、前記吸入ファンのうち上向き分岐口２６８に配設された吸入ファン７００は左右方向に回転角度を調節し、左側及び右側の分岐口２６４、２６６の吸入ファン７１０、７２０は上下に回転角度が自動的に調節されるようにして、前記吸入ファン７００、７１０、７２０の回転角度により陰イオンが前記収納空間２１０の内部において回転方向に循環される。
【００５１】
この場合、陰イオンが前記計数器１００の紙幣投入口１１０及び紙幣吐出口１２０に向かって循環するように前記吸入ファン７００、７１０、７２０の角度を調節する。
【００５２】
前記吸入ファン７００、７１０、７２０の回転角度は、リモコン又はモード切り換えスイッチの動作により調節され、前記モード切り換えスイッチは、図示はしないが、前記消毒胴体２００の外側に配設される調節部５００の一方の側に配設される。
【００５３】
以上の説明は一つの実施形態を説明したものに過ぎず、本発明は上述した実施形態に何ら限定されるものではなく、添付の特許請求の範囲内において種々に変形可能に実施することができる。
例えば、本発明の実施形態に具体的に開示されている各構成要素の形状および構造は変形して実施することができる。
【符号の説明】
【００５４】
１００  計数器
２００  消毒胴体
３００  陰イオン発散部
５００  調節部
６００  開閉部材
６１０  回転軸
６２０  開閉板
６３０  モータ
７００、７１０、７２０  吸入ファン